(57)【要約】【課題】歯間ブラシ部分を交換する際の交換が容易で、歯間ブラシの向きを使い易い方向に向けて使用でき、また携帯に便利なようにコンパクトに収納できるようにした歯間ブラシホルダーを提供することにある。【解決手段】ヘッド本体２上部に歯間ブラシ１と下部に嵌合部３とを設けたヘッド部Ａと、柱状体４上端部の角度４５度の斜面に垂直に一端が軸支され他端に嵌合部７を設けた柱状回転体５と下端部に嵌合部８とを設けたホルダー部Ｂと、筒状体９上端部に嵌合部１０と下端部に閉鎖部１１とを設けたホルダーキャップ部Ｃとから構成され、前記嵌合部３、７と嵌合部８、１０が嵌合連結可能である。【選択図】図１
2004188070.tif 000002
【特許請求の範囲】
【請求項１】
ヘッド本体２上部に歯間ブラシ１と下部に嵌合部３とを設けたヘッド部Ａと、柱状体４上端部の角度４５度の斜面に垂直に一端が軸支され他端に嵌合部７を設けた柱状回転体５と下端部に嵌合部８とを設けたホルダー部Ｂと、筒状体９上端部に嵌合部１０と下端部に閉鎖部１１とを設けたホルダーキャップ部Ｃとから構成され、前記嵌合部３、７と嵌合部８、１０が嵌合連結可能であることを特徴とする歯間ブラシホルダー。
【発明の詳細な説明】
【０００１】
【発明の属する技術分野】
本発明は、歯間ブラシホルダーに関し、歯間ブラシ部分が角度可変となっている構造の長柄状の歯間ブラシホルダーに関する。
【０００２】
【従来の技術】
歯間ブラシ部分が角度可変となっている構造の従来の長柄状の歯間ブラシホルダーとしては、ブラシホルダーの長手方向に対して直交方向に設けた支軸を介して歯間ブラシ部を回動可能に設けた構造のものがあり、歯間ブラシ部を長柄状の歯間ブラシホルダーに対して使い易い所定の角度に調整することができるようになっている。
【０００３】
【特許文献１】
特開平９−１２１９４２号公報
【特許文献２】
実公昭５４−５１６５号公報
【０００４】
【発明が解決しようとする課題】
また、上記のような従来の歯間ブラシホルダーは、歯間ブラシ部を交換する際には支軸部分から取り外して交換する必要があるために交換が面倒であり、また歯間ブラシホルダーを旅行カバンなどに入れて携帯するような場合には、ホルダー部分が長柄状であるためにコンパクトに携帯できない不都合があった。
【０００５】
本発明の課題は、これらの不都合を解消することにあり、歯間ブラシ部分を交換する際の交換が容易で、歯間ブラシの向きを使い易い方向に向けて使用でき、また携帯に便利なようにコンパクトに収納できるようにした歯間ブラシホルダーを提供することにある。
【０００６】
【課題を解決するための手段】
本発明は、ヘッド本体２上部に歯間ブラシ１と下部に嵌合部３とを設けたヘッド部Ａと、柱状体４上端部の角度４５度の斜面に垂直に一端が軸支され他端に嵌合部７を設けた柱状回転体５と下端部に嵌合部８とを設けたホルダー部Ｂと、筒状体９上端部に嵌合部１０と下端部に閉鎖部１１とを設けたホルダーキャップ部Ｃとから構成され、前記嵌合部３、７と嵌合部８、１０が嵌合連結可能であることを特徴とする歯間ブラシホルダーである。
【０００７】
【発明の実施の形態】
本発明の歯間ブラシホルダーを、図１の組み立て斜視図に示す実施の形態に沿って以下に詳細に説明する。
【０００８】
本発明の歯間ブラシホルダーは、図示するように、ヘッド部Ａと、ホルダー部Ｂと、ホルダーキャップ部Ｃとから構成される。
【０００９】
ヘッド部Ａは、ヘッド本体２上部に歯間ブラシ１と、下部に凸状（又は凹状、図３参照）の嵌合部３を設けたものであり、ホルダー部Ｂは、互いに同じ柱状外形を備えた柱状体４と柱状回転体５とから構成されている。
【００１０】
該柱状体４上端部と柱状回転体５下端部には、それぞれ角度４５度に傾斜する斜面４ａ、５ａを備え、柱状回転体５下端部の斜面５ａには、該斜面５ａに対して垂直な軸線Ｏを回転中心とする支軸５ｂを備え、該支軸５ｂが、柱状体４上端部の斜面４ａの軸受孔４ｂ内に軸支され、柱状回転体５は柱状体４に対して互いに前記斜面４ａ、５ａを摺接界面６にて摺接した状態で回転可能となっている。
【００１１】
なお回転の停止手段として、それぞれ斜面４ａ、５ａには、支軸５ａに対する同心円状線に沿って、互いに嵌合する適宜数の微小突起４ｃ、５ｃを等間隔に設けてある。
【００１２】
また、柱状回転体５上端部には、前記ヘッド部Ａをその凸状（又は凹状、図３参照）の嵌合部３を嵌合して取り付け取り外し可能な凹状（又は凸状、図３参照）の嵌合部７を備え、柱状体４下端部には、その柱状体４の外周に沿って連続リング状又は不連続リング状に突起部４ｄを設け、該突起部４ｄより下端に凸状の嵌合部８を設けたものである。また、突起部４ｄを挟んで上下には、嵌合取り付け取り外しにおける脱着容易性とその際の通気性を良好にするために、柱状体４外周に沿って長手方向に向く等間隔の３本以上複数本のリブ４ｅを設けるようにしてもよい。
【００１３】
ホルダーキャップ部Ｃは、全体が筒状体９であって、その上端部は開口する嵌合部１０を備え、その筒状体９下端部は閉鎖部１１にて閉鎖していて、その筒状体９の長手方向の途中には、必要に応じて通気細孔１４が設けられている。
【００１４】
前記ヘッド部Ａ下部の凸状（又は凹状）の嵌合部３は、ホルダー部Ｂ上端の開口する凹状（又は凸状）の嵌合部７に互いに取り付け取り外し可能に嵌合でき、またホルダー部Ｂ下端の凸状の嵌合部８と、ホルダーキャップ部Ｃの開口する嵌合部１０とは、互いに取り付け取り外し可能に嵌合でき、ヘッド部Ａを取り付けたホルダー部Ｂにホルダーキャップ部Ｃを接続して長柄状（ロングスティック状）に伸ばして、手で持ち易くすることができる。
【００１５】
ヘッド部Ａを取り付けた状態のホルダー部Ｂは、該ヘッド部Ａに備えた歯間ブラシ１先端側を、前記ホルダーキャップ部Ｃの嵌合部１０から筒状体９内に挿入することにより、ホルダーキャップ部Ｃの筒状体９内に収納することができるようになっている。
【００１６】
前記柱状体４の外周に沿って連続リング状又は不連続リング状に設けた突起部４ｄは、柱状体４の嵌合部８をホルダーキャップ部Ｃの嵌合部１０に嵌合した際のストッパーであり、その突起部４ｄの突起高さは、特に限定されないが、その突起部４ｄの上部外周面がホルダーキャップ部Ｃの外周面より突出せずに面一となるような高さであることが適当である。
【００１７】
ホルダーキャップ部Ｃの筒状体９の外径及び内径は、ヘッド部Ａを取り付けた状態のホルダー部Ｂを収納できる程度の大きさであれば、その嵌合部１０から閉鎖部１１まで長手方向に亘って同じ直径でもよいが、例えば、図１に示すようにヘッド部Ａを取り付けた状態のホルダー部Ｂの収納スペースを確保できる程度の外径及び内径を備えた嵌合部１０側の筒部１２と、ヘッド部Ａに備えた比較的細い歯間ブラシ１の収納スペースを確保できる程度の外径及び内径を備え、前記筒部１２よりも細いキャップ先端側の細筒部１３とにより構成される筒状体９としてもよい。また必要に応じて設ける前記通気細孔１４は、筒部１２と細筒部１３との境目に設けるようにしてもよい。
【００１８】
図２（ａ）〜（ｂ）は、本発明の歯間ブラシホルダーの使用方法を説明するヘッド部Ａを嵌合接続したヘッド部付きのホルダーＢの側断面図であり、図２（ａ）に示すように、ホルダーキャップ部Ｃ内から収納されているヘッド部付き嵌合接続したホルダーＢを取り出し、ホルダーＢの嵌合部８をホルダーキャップ部Ｃの嵌合部１０に嵌合させた後、柱状回転体５を支軸５ａを中心に柱状体４に対して回転させ、微小突起４ｃ、５ｃの嵌合により適宜な回転角度にて一端停止させることにより、柱状回転体５の長手方向の軸を、柱状体４の長手方向の軸に対して適宜な角度（０度〜４５度）の姿勢に変化させることができる。
【００１９】
例えば、図２（ｂ）に示すように、柱状回転体５を支軸５ａを中心に回転させて、柱状回転体５の側面に対して４５度の角度にある斜面５ａを、柱状体４の側面に対して４５度の角度にある斜面４ａに重ね合わせることにより、柱状回転体５を、柱状体４の長手方向に対して４５度の姿勢にすることができる。
【００２０】
このように本発明の歯間ブラシホルダーは、その柱状回転体５を回転させることにより歯間ブラシ１の向きを、使い易い適宜な角度に調整して使用することができ、例えばホルダー部分（Ｂ又はＢ及びＣ）を手で縦方向に持ちながら、歯間ブラシ１を略水平方向にして口腔内に挿入し、楽な姿勢で歯間の清掃を行うことができる。
【００２１】
【発明の効果】
本発明の歯間ブラシホルダーは、歯間ブラシ部分を交換する際には、ヘッド部をホルダー部Ｂより取り外すことにより容易に交換することができ、また本発明の歯間ブラシホルダーは、取り付け取り外し可能なヘッド部付きホルダー部とホルダーキャップ部から構成されているので、使用する際には、ホルダー部とホルダーキャップ部とを嵌合接続することにより、ブラシの柄を長く使い易くすることができ、また旅行カバンなどに入れて携帯するような場合には、ヘッド部付きホルダー部とホルダーキャップ部とを切り離して、ヘッド部付きホルダー部をホルダーキャップ部内に収納することができ、コンパクトに携帯できなる効果がある。
【図面の簡単な説明】
【図１】本発明の歯間ブラシホルダーの組み立て斜視図。
【図２】本発明の歯間ブラシホルダーの使用方向を説明する側断面図であり、（ａ）は歯間ブラシホルダーを真っ直ぐにした状態、（ｂ）は柱状回転体を回転させて歯間ブラシの向きをホルダーに対して直角に変化させた状態を示す。
【図３】本発明の歯間ブラシホルダーの他の嵌合構造を示す側断面図。
【符号の説明】
Ａ…歯間ブラシヘッド部  Ｂ…ホルダー部  Ｃ…ホルダーキャップ部
Ｏ…回転中心
１…歯間ブラシ  ２…ヘッド本体  ３…嵌合部  ４…柱状体  ５…柱状回転体
５ａ…支軸  ６…摺接界面  ７…嵌合部  ８…嵌合部  ９…筒状態
１０…嵌合部  １１…閉鎖部  １２…筒部  １３…細筒部
【図１】
2004188070.tif 000003
【図２】
2004188070.tif 000004
【図３】
2004188070.tif 000005